(57)【要約】本発明は、液体インレットチャネルから液体を放出させるための出口（ＬＩＮＭ）を有する水または他の液体用の液体インレットチャネル（ＬＩＮ）と、加圧空気インレットチャネル（ＡＩＮ）から加圧空気を放出させるための出口（ＡＩＮＭ）を有する加圧空気インレットチャネル（ＡＩＮ）とを備えるノズルに関する。本発明において、液体インレットチャネル（ＬＩＮ）および加圧空気インレットチャネル（ＡＩＮ）は、液体から出る、および加圧空気から出る霧を生成するように、加圧空気インレットチャネル（ＡＩＮ）が液体インレットチャネル（ＬＩＮ）を少なくとも部分的に取り囲むような方法で配置される。【選択図】図１
2020508216.tif 000002
【特許請求の範囲】
【請求項１】
水または他の液体用の液体インレットチャネル（ＬＩＮ）であって、前記液体インレットチャネルから液体を放出させるための液体出口（ＬＩＮＭ）を有する、液体インレットチャネルと、加圧空気インレットチャネル（ＡＩＮ）であって、前記加圧空気インレットチャネル（ＡＩＮ）から加圧空気を放出させるための空気出口（ＡＩＮＭ）を有する、加圧空気インレットチャネルと、を備えるノズルであって、
前記ノズルは手洗い用ノズルであり、前記液体出口（ＬＩＮＭ）から出る非加圧液体および前記空気出口（ＡＩＮＭ）から出る加圧空気から霧を生成するように、非加圧液体インレットチャネル（ＬＩＮ）および前記加圧空気インレットチャネル（ＡＩＮ）は、前記加圧空気インレットチャネル（ＡＩＮ）が前記非加圧液体インレットチャネル（ＬＩＮ）を少なくとも部分的に取り囲むような方法で配置されることを特徴とする、ノズル。
【請求項２】
前記液体インレットチャネル（ＬＩＮ）は前記加圧空気インレットチャネル（ＡＩＮ）と同軸であることを特徴とする、請求項１に記載のノズル。
【請求項３】
前記液体インレットチャネルは、前記液体インレットチャネル（ＬＩＮ）および前記加圧空気インレットチャネル（ＡＩＭ）の少なくとも前記出口（ＬＩＮＭ、ＡＩＮＭ）において、前記液体インレットチャネルが前記加圧空気インレットチャネルと同じ中心点を共有するような方法で配置されることを特徴とする、請求項１または２に記載のノズル。
【請求項４】
前記液体インレットチャネル（ＬＩＮ）の前記出口（ＬＩＮＭ）および前記加圧空気インレットチャネル（ＡＩＮ）の前記出口（ＡＩＮＭ）は、実質的に同一面にあるような方法で延在することを特徴とする、請求項１〜３のいずれか一項に記載のノズル。
【請求項５】
前記液体インレットチャネル（ＬＩＮ）内の流通空間の横断面積は、前記加圧空気インレットチャネル（ＡＩＮ）内の流通空間の横断面積の７５％未満であることを特徴とする、請求項１〜４のいずれか一項に記載のノズル。
【請求項６】
前記液体インレットチャネル（ＬＩＮ）の前記出口（ＬＩＮＭ）における前記液体インレットチャネル（ＬＩＮ）内の流通空間の横断面積は、前記加圧空気インレットチャネル（ＡＩＮ）の前記出口（ＡＩＮＭ）における前記加圧空気インレットチャネル（ＡＩＮ）内の流通空間の横断面積の７５％未満であることを特徴とする、請求項１〜５のいずれか一項に記載のノズル。
【請求項７】
前記液体インレットチャネル（ＬＩＮ）の壁（ＷＬ）の厚さは０．３０ｍｍ未満であることを特徴とする、請求項１〜５のいずれか一項に記載のノズル。
【請求項８】
前記ノズル（Ｎ、Ｎ１〜Ｎ４）は給水栓のノズルであることを特徴とする、請求項１〜７のいずれか一項に記載のノズル。
【請求項９】
前記ノズル（Ｎ、Ｎ１〜Ｎ４）は３Ｄプリントされた部品であることを特徴とする、請求項１〜８のいずれか一項に記載のノズル。
【請求項１０】
水または他の液体用の液体インレットチャネル（ＬＩＮ）であって、前記液体インレットチャネルから液体を放出させるための液体出口（ＬＩＮＭ）を有する、液体インレットチャネルと、加圧ガスインレットチャネル（ＡＩＮ）であって、前記加圧ガスインレットチャネル（ＡＩＮ）から二酸化炭素などの加圧ガスを放出させるための空気出口（ＡＩＮＭ）を有する、加圧ガスインレットチャネルと、を備えるノズルであって、
前記ノズルは手洗い用ノズルであり、非加圧液体および加圧ガスから霧を生成するように、非加圧液体インレットチャネル（ＬＩＮ）および前記加圧ガスインレットチャネル（ＡＩＮ）は、前記加圧ガスインレットチャネル（ＡＩＮ）が前記非加圧液体インレットチャネル（ＬＩＮ）を取り囲むような方法で配置されることを特徴とする、ノズル。
【請求項１１】
請求項１〜１０のいずれか一項に記載のノズルを２つ以上備えることを特徴とする、ノズル配置。
【請求項１２】
前記ノズルは、霧を排出する洗浄ラインを形成しているライン構成内にあることを特徴とする、請求項１１に記載のノズル配置。
【請求項１３】
前記ノズルは、霧を排出する洗浄空間を形成するために、少なくとも２つのノズルのラインを備える複数のライン構成内にあることを特徴とする、請求項１１または１２に記載のノズル配置。
【請求項１４】
前記ノズル配置は、少なくとも３つのノズルのラインを備え、それらのノズルのラインは共通の中央点に向けられ、前記中央点の周囲に洗浄空間を形成することを特徴とする、請求項１１〜１３のいずれか一項に記載のノズル配置。
【請求項１５】
液体源（ＬＳ）および／または液体源に接続するためのインターフェースと、加圧空気源（ＡＳ）および／または加圧空気源に接続するためのインターフェースと、を備える液体分配システムであって、
前記液体分配システムは、請求項１〜９のいずれか一項に記載のノズル（Ｎ、Ｎ１〜Ｎ４、Ｎ１１〜Ｎ１６）を１つ以上備え、液体の供給は液体インレットチャネル（ＬＩＮ）に接続し、加圧空気の供給は加圧空気インレットチャネル（ＡＩＮ）に接続していることを特徴とする、液体分配システム。
【請求項１６】
水滴および／または冷却水を受けるための廃液コンテナ（ＷＬＣ）をさらに備えることを特徴とする、請求項１５に記載の液体分配システム。
【請求項１７】
前記液体分配システムは前記廃液コンテナを含み、しかしノズルへの液体および加圧空気の流入は、液体および空気用の前記インターフェースを介して配されることを特徴とする、請求項１６に記載の液体分配システム。
【請求項１８】
前記液体分配システムは前記廃液コンテナ（ＷＬＳ）および前記液体源（ＬＳ）を含み、しかしノズルへの加圧空気の流入は、空気用の前記インターフェースを介して配されることを特徴とする、請求項１６に記載の液体分配システム。
【請求項１９】
前記液体分配システムは、前記液体源（ＬＳ）および前記加圧空気源（ＡＳ）および前記廃液コンテナ（ＷＬＣ）を含む独立した可動式ユニットであることを特徴とする、請求項１６に記載の液体分配システム。
【請求項２０】
前記液体分配システムは、霧の生成を停止するようにそして前記霧を乾燥空気流と置き換えるように、前記液体インレットチャネル（ＬＩＮ）の流れを閉じるための弁などのコントローラ（Ｖ１）またはその他のコントローラをさらに備えることを特徴とする、請求項１５〜１９のいずれか一項に記載の液体分配システム。
【発明の詳細な説明】
【技術分野】
【０００１】
本発明は、例えば水送達タップ／蛇口、およびその他の液体送達、すなわち分配構成要素およびシステムで使用することができるノズルに関する。
【背景技術】
【０００２】
給水栓／蛇口は、いくつか例を挙げると、個人宅だけでなく、オフィス、レストラン、その他の施設でも使用されている。給水栓は、台所、洗面所スペース、浴室、庭などに設置され得る。
【０００３】
水送達システムまたはその他の液体送達システムは、ノズルおよび付随するタップ／蛇口だけでなく、ノズルに液体および空気を供給するために必要な他の要素も含む、要素の組み合わせである。
【０００４】
従来の、公知の給水栓ノズルのいくつかの例は、特許文献１、特許文献２より知られている。
【０００５】
上述の技術に関連する不利点のうちの１つは、流入した空気および液体から、効率的ではあるが液体を節約する霧を生成する能力がないことに関する。既存のノズルおよびノズルを含むシステムの別の側面として、それらの構造があまりに精巧である場合があり、したがって、それらを製造するのに高価となる可能性がある。
【先行技術文献】
【特許文献】
【０００６】
【特許文献１】中国特許出願公開第１０３８２２００８（Ａ）号
【特許文献２】米国特許出願公開第２０１４００５３３３２（Ａ）号
【発明の概要】
【課題を解決するための手段】
【０００７】
本発明の目的は、上述の不利点を解決または軽減するような、ノズルおよび液体送達システムを提供することである。本発明の目的は、独立請求項で述べられていることを特徴とする、ノズルおよびシステムによって達成される。本発明の好ましい実施形態は、従属請求項に開示される。
【０００８】
本発明は、空気管に関する液体管の適切な位置についての着想に基づき、逆もまた同様である。
【０００９】
本発明のノズルおよびシステムの利点の１つは、単純かつ丈夫な構造を備え、過剰量の液体を使用することなく、良好で十分な霧を生成することができることである。
【００１０】
以下、添付の図面を参照し、好ましい実施形態によって本発明をより詳細に説明する。
【図面の簡単な説明】
【００１１】
【図１】ノズルを示す。
【図２】図１のノズルの内部構造を示す切欠図である。
【図３】４つのノズルを備えるノズル配置を示す。
【図４】図３のノズル配置を示すが、各ノズルから出てくる生成された液体／空気の霧も示す。
【図５】外縁において傾斜したノズルを備える、ノズル配置の変形バージョンを示す。
【図６】３つのノズル配置を備えるシステムを示す。
【図７】可動式液体分配システム／ステーションを示す。
【図８】可動式液体分配システム／ステーションの外観を示す。
【図９】図１と比較して鏡様の流入部を備えるノズルを示す。
【図１０】図９のノズルの内部構造を示す切欠図である。
【図１１】１つのノズル配置を備える、システムの別の実施形態を示す。
【図１２】１つのノズル配置を備える、システムのさらに別の実施形態を示す。
【発明を実施するための形態】
【００１２】
図１〜図２を参照すると、水または他の液体用の液体インレットチャネルＬＩＮを備えるノズルＮが示されている。液体インレットチャネルＬＩＮは、液体インレットチャネルＬＩＮから液体を放出させるための出口ＬＩＮＭを有する。一実施形態において、ノズルは、給水栓／蛇口のノズルである。
【００１３】
さらに、ノズルＮは加圧空気インレットチャネルＡＩＮ、つまり加圧空気用のインレットチャネルＡＩＮを備える。加圧空気用のインレットチャネルＡＩＮは、加圧空気インレットチャネルＡＩＮから加圧空気を放出させるための出口ＡＩＮＭを有する。ここでは、空気がガスの例として使用される。その他の加圧ガスが、加圧空気と同様に機能するであろうことは明白である。例えば、二酸化炭素、ＣＯ２を、いくつかの用途で使用することができよう。空気はガス状物質とみなされる。
【００１４】
液体インレットチャネルＬＩＮから液体を放出させるための出口ＬＩＮＭ、および加圧空気インレットチャネルＡＩＮから加圧空気を放出させるための出口ＡＩＮＭはともに、ノズルＮの排出端ＯＥにおいてノズルＮの出口を形成する。
【００１５】
ノズルの流入端ＩＥには、液体を流入させるための流入部ＩＬ、および加圧空気を流入させるための流入部ＩＡが含まれる。
【００１６】
一実施形態において、以下の１つまたは複数は、管から製作される：液体用インレットチャネルＬＩＮ、加圧空気用インレットチャネルＡＩＮ、液体チャネルＬＩＮに液体を流入させるための流入部ＩＬ、空気インレットチャネルＡＩＮに加圧空気を流入させるための流入部ＩＡ。
【００１７】
ノズルＮの流入端ＩＥでは、外側管、つまり、言い換えると加圧空気用のインレットチャネルＡＩＮは、空気インレットチャネルＡＩＮの壁ＷＡによって画定される内部空間に空気を流入させるのを可能にするように、空気流入部ＩＡが取り付けられている端壁ＥＷを備える。壁ＷＡおよび端壁ＥＷはともに、インレットチャネルＡＩＮを、ノズルＮの出口ＥＭに解放端（出口ＡＩＮＭ）を有する小さなチャンバのようにしている。いくつかの実施形態において、チャンバは任意の拡張空間である必要がないため、流入部ＩＡが空気インレットＡＩＮと同じサイズであることが可能である。一実施形態において、流入部ＩＡは、空気インレットＡＩＮよりも大きくてもよい。流入部ＩＡおよび壁ＷＡにより形成された管が、同じ連続した管の一部である場合、特定の端壁ＥＷは必要ではない。
【００１８】
ノズルＮは、鋼鉄、ステンレス鋼、チタン、真鍮、青銅、銀、金、ビニル、ＡＢＳ（アクリロニトリル−ブタジエンスチレン：ａｃｒｙｌｏｎｉｔｒｉｌｅ−ｂｕｔａｄｉｅｎｅ  ｓｔｙｒｅｎｅ）、ＰＬＡ（ポリラクチド：ｐｏｌｙｌａｃｔｉｄｅ）プラスチックなどの適切な材料から製作することができる。
【００１９】
ノズルは、鋳造／成形によって、または代わりに溶接もしくはその他により管から組み合わせることによって、製造することができる。さらに、特に３Ｄプリンティング法が好適である。３Ｄプリンティングプロセスは実用的な利点をもたらし、単純かつ効果的な構造により、１つのプロセス段階でノズル全体を製造する。また、それにより複数のノズルのコンパクトな構造を可能にする。
【００２０】
液体インレットチャネルＬＩＮ内の内部空間は、液体インレットチャネルＬＩＮの壁ＷＬによって画定される。同様に、加圧空気用インレットチャネルＡＩＮ内の内部空間は、加圧空気用インレットチャネルＡＩＮの壁ＷＡによって画定される。
【００２１】
図９〜図１０は、図１〜図２と比較して鏡様の流入構造を備える、ノズルＮＮの代替的実施形態に関する。図９〜図１０では、流入部ＩＬは端部にあり、ノズルＮＮを通って液体インレットＬＩＮまでまっすぐに液体を導く一方で、流入部ＩＡはノズルＮＮの側面から空気インレットＡＩＮまで空気を導く。図６のノズル配置は、空気がノズルの側面に接続し、液体（水など）がノズルの流入端に接続しているため、図９〜図１０に示されるようなノズルを使用する。
【００２２】
液体チャネルＬＩＮの液体は、水、加熱水、石鹸、消毒液、着色液または洗浄洗剤を含む水であり得る。空気チャネルＡＩＮの空気は、周囲空気、濾過空気、二酸化炭素ＣＯ２、窒素Ｎ２、酸素Ｏ２などの特定の空気成分、またはそれらの組み合わせであり得る。
【００２３】
図６〜図７では、システムは、液体源ＬＳ水、または、水を受けるためのインターフェースを備える。
【００２４】
図６〜図７を参照すると、空気源は、外部（システム／配置外）もしくは内部（システム／配置内）の空気圧縮機ＣＯＭＰ、または空気圧縮機ＣＯＭＰに接続可能な空気タンクもしくはその他の空気コンテナＡＳ、または空気源ＡＳとして、任意の高流量空気発生器である。空気圧は、３〜８バールが好ましい。源のその他の種類を参照すると、図６〜図７に見られるように、液体（水）源ＬＳおよび空気源ＡＳに加え、システムは石鹸などの追加の液体の源ＳＳを備える。その上、さらなる別の源、つまり図７に示されるような消毒液用の源ＤＳがあってよい。消毒液用の源ＤＳは、液体源ＬＳまたは追加の液体源ＳＳのような、類似した接続を有し得る。ノズルのいくつかは液体源ＬＳまたは追加の液体源ＳＳと接続され、他のいくつかのノズルは消毒液用の前記源ＤＳに接続され得る。
【００２５】
図３〜図５は、いくつかの、例えば４つのノズルＮ１〜Ｎ４を備えるノズル配置に関する。図３〜図５では、配置は、図１〜図２のノズルＮに関して上記で開示されたものと同様の種類の構造を有する。一般的に言うと、２つ以上のノズルを組み合わせて、ノズルのラインを形成することができる。ノズルのラインの代わりに、ノズル配置は、４つのノズルを有する２×２マトリックスなどの、マトリックス形式を有することができる。
【００２６】
ノズルＮ１〜Ｎ４に関して、図３〜図５では、液体インレットチャネルＬＩＮ１〜ＬＩＮ４、加圧空気用空気インレットチャネルＡＩＮ１〜ＡＩＮ４、液体インレットチャネルＬＩＮ１〜ＬＩＮ４から液体を放出させるための出口ＬＩＮＭ１〜ＬＩＮＭ４、加圧空気インレットチャネルＡＩＮ１〜ＡＩＮ４から加圧空気を放出させるための出口ＡＩＮＭ１〜ＡＩＮＭ４、ノズルＮ１〜Ｎ４の排出端ＯＥ１〜ＯＥ４、液体を液体チャネルＬＩＮ１〜ＬＩＮ４に流入させるための流入部ＩＬ１〜ＩＬ４、加圧空気を空気インレットチャネルＡＩＮ１〜ＡＩＮ４に流入させるための流入部ＩＡ１〜ＩＡ４が見てとれる。
【００２７】
図６では、３つのノズル配置などの、複数のノズル配置ＮＡ１〜ＮＡ３があり、それぞれが、ノズル配置ＮＡ１に関して示されているように、６つのノズルＮ１１〜Ｎ１６などの、１つ以上のノズルを有する。
【００２８】
図３〜図５および図６では、配置、特に、水などの液体用の共通流入ラインＣＩＬＬ（図６ではＣＩＬＬ６）、および加圧空気用の共通流入ラインＣＩＬＡ（図６ではＣＩＬＡ６）、および石鹸などの添加物用の共通流入ラインＣＩＬＡＤには、制御弁Ｖ１〜Ｖ４が備え付けられている（図６に示される）。弁Ｖ１は、水流入ラインＣＩＬＬ６（図３〜図５ではＣＩＬＬ）における液体流を制御（開／閉）するように配置され、弁Ｖ２およびＶ３は、空気流入ラインＣＩＬＡ６（図３〜図５ではＣＩＬＡ）のサブラインにおける加圧空気の流れを制御するように配置される。弁Ｖ４は、図６の添加液流入ラインＣＩＬＡＤ６における添加液の流れを制御するように配置される。
【００２９】
弁Ｖ１〜Ｖ４は、手動で、または電気的に操作することができる。弁Ｖ１およびＶ４は、２つの液体（水、石鹸などの添加物）のうちどちらか１つを各ノズルの液体インレットチャネルＬＩＮに供給することを選択するためのものである。図３〜図５の場合または図３〜図５のノズル配置では、図６の弁Ｖ１、Ｖ４を使用することにより、どちらの液体（水、石鹸）を液体流入用の共通流入ラインＣＩＬＬに供給するのかを選択する。
【００３０】
また、システムは３つの異なるノズル配置を備えるため、共通流入ラインＣＩＬＬ／ＣＩＬＬ６、ＣＩＬＡ６（２つのサブラインを有する）およびＣＩＬＡＤのそれぞれを、いくつかの分岐、例えば３つの別々の分岐に分流するための分流要素ＳＥ１〜ＳＥ４がある。例えば、分流要素ＳＥ１は、図６の液体流入ラインＣＩＬＬ６を、３つの分岐ＢＲＷ１〜ＢＲＷ３に分流する。分岐ＢＲＷ１はノズル配置ＮＡ１と接続し、分岐ＢＲＷ２はノズル配置ＮＡ２と接続し、分岐ＢＲＷ３はノズル配置ＮＡ３と接続している。
【００３１】
図６のノズル配置ＮＡ１を参照すると、ノズルＮ１１、Ｎ１３、Ｎ１５およびＮ１６は、空気供給部および水供給部と接続している。ノズルＮ１２およびＮ１４は、空気供給部および添加物（石鹸など）供給部と接続している。
【００３２】
図６〜図７では、システムＳは、リレーＲＥを介して図６の弁Ｖ１〜Ｖ４の動作を制御するマイクロコントローラＭＣをさらに備え、マイクロコントローラＭＣは、ラップトップコンピュータなどのコンピュータＣと有線または無線通信の状態にある。マイクロコントローラＭＣはまた、所望のシーケンスで動作するノズルＮＡ１１〜Ｎ１６（またはＮ１〜Ｎ４）を制御する。マイクロコントローラＭＣは、弁を特定の順序で切り替えることによって、制御動作を伝える。
【００３３】
ノズル配置ＮＡ２、ＮＡ３は、マイクロコントローラＭＣと接続している１つ以上のセンサＳ２、Ｓ３を備える。１つ以上のセンサＳ２、Ｓ３は、いつユーザの手が洗浄領域／空間にセットされるのかを検出するために配置される。すなわち、センサは、手が洗浄領域／空間内にセット／挿入されたかどうかを検知し、そのため洗浄シーケンスを開始する。なぜなら、コントローラＭＣが図６の弁Ｖ１〜Ｖ４の１つ以上を制御（ここで開く）するように配置されているためである。手が洗浄領域／空間から離れるときに、１つ以上のセンサＳ２、Ｓ３からの入力を有し、弁Ｖ１〜Ｖ４の１つ以上を制御（ここで閉じる）するコントローラＭＣにより、洗浄プロセスは停止する。
【００３４】
図１〜図２では、ノズルＮに関して、液体インレットチャネルＬＩＮおよび加圧空気インレットチャネルＡＩＮは、加圧空気インレットチャネルＡＩＮが液体インレットチャネルＬＩＮを取り囲むような方法で配置されている。その目的は、液体および加圧空気から霧ＭＩを生成することである。同様の構造的な原理は、図３〜図５のノズルＮ１〜Ｎ４、および図９〜図１０のノズルＮＮに関しても当てはまる。出口ＡＩＮＭから出る空気流は、液体インレットチャネルＬＩＮおよびそれらの出口ＬＩＮＭに対し、吸引を生じさせる。液体が流れることが可能なように図６の弁Ｖ１を開く場合には、吸引により、チャネルＬＩＮの出口ＬＩＭＮから液体（水など）が引き込まれる。出口ＡＩＮＭからの空気と出口ＬＩＮＭからの液体とが混合されて、これにより霧が形成される。
【００３５】
流入された空気は、外側管／パイプＡＩＮから流出し、空気流は空気と内側パイプ／管ＬＩＮからの液体とを混合する。
【００３６】
この配置の利点は、水タンクＬＳもしくはコンテナ、石鹸コンテナＳＳまたは消毒液コンテナＤＳなどの、非加圧の液体源ＬＳ、ＳＳ、ＤＳを使用することができることである。液体源は、加圧する必要がない。霧の質および量は加圧液体に依存しないが、単に空気圧および空気流によって制御することができる。
【００３７】
しかしながら、霧の量を増加させるために加圧液体を使用して、液体チャネルＬＩＮに供給することも可能である。
【００３８】
加圧空気流が十分大きく、決定的な役割にある場合、外側管ＡＩＮ中の空気流が力の効果を生み出し、そのため内側パイプ／管ＬＩＮから液体を引き込んで、空気流に合流させる。
【００３９】
液体流が流れることが可能なとき、液体は空気流と混合され、その結果、霧ＭＩが形成／生成される。
【００４０】
さらにより良好な霧を形成するために、ノズルＮおよびノズルを備えた関連するノズル配置は、一実施形態において、液体インレットチャネルＬＩＮが加圧空気インレットチャネルＡＩＮと同軸となるようにする。したがって、一実施形態において、少なくとも液体インレットチャネルＬＩＮおよび加圧空気インレットチャネルＡＩＭの出口ＬＩＮＭ、ＡＩＮＭにおいて、液体インレットチャネルＬＩＮが加圧空気インレットチャネルＡＩＮと同じ中心点を共有するような方法で、液体インレットチャネルＬＩＮが配置される。
【００４１】
さらにより良好な霧を形成するための他の特徴は、液体インレットチャネルＬＩＮの出口ＬＩＮＭ、および加圧空気インレットチャネルＡＩＮの出口ＡＩＮＭが、実質的に同一面にあるような方法で延在する実施形態による。これは、排出端ＯＥにおいて、液体用の出口ＬＩＮＭが出口ＡＩＮＭまで延在することを意味する。
【００４２】
出願人は、インレットチャネルＬＩＮおよびＡＩＭのサイズが重要であることを見いだした。一実施形態において、液体インレットチャネルＬＩＮ内の流通空間の横断面積は、加圧空気インレットチャネル内の流通空間の横断面積の７５％未満である。さらに具体的には、最も重要な面積は出口面積であり、そのため一実施形態において、構造は、液体インレットチャネルの出口における液体インレットチャネル内の流通空間の横断面積は、加圧空気インレットチャネルの口における加圧空気インレットチャネル内の流通空間の横断面積の７５％未満であるようにする。
【００４３】
一実施形態において、内側管／パイプ、つまり液体チャネルＬＩＮのノズルの大きさは０．２〜１．０ｍｍ２であり、これは液体インレットチャネルＬＩＮ内の横断面積である。
【００４４】
さらに、一実施形態において、外側管／パイプ、つまり空気インレットチャネルＡＩＮのノズルの大きさは１〜２ｍｍ２であり、これは空気インレットチャネルＡＩＮ内の横断面積である。
【００４５】
一実施形態において、液体インレットチャネルＬＩＮ内の横断面積は０．６ｍｍ２であり、空気インレットチャネルＡＩＮ内の横断面積は１．３ｍｍ２である。
【００４６】
一実施形態において、液体インレットチャネルＬＩＮの壁ＷＬの厚さは０．３０ｍｍ未満であり、これは空気流および液体流が互いに離れ過ぎないようにするために重要なことである。なぜなら、あまりにも長い距離は、水および加圧空気から霧を形成するのに困難を生じさせるためである。
【００４７】
特に図６〜図８および図１１〜図１２を参照すると、本発明の別の態様は、より大きなシステム、すなわち、前記１つ以上のノズル、Ｎ、Ｎ１１〜Ｎ１６に加えて、液体源ＬＳ、または、少なくとも、システムが使用される建物の水管ネットワークなどの、外部の液体源に接続するためのインターフェースを備える液体分配システムＳに関する。液体源ＬＳがシステム自体に含まれる場合、液体源ＬＳは水コンテナなどの液体コンテナＬＳであり得る。加えて、システムＳは、加圧空気源ＡＳ、または、少なくとも、加圧空気の外部の空気源に接続するためのインターフェースを備え、このような源ＡＳは、空気圧縮機、または圧縮機に接続可能な空気タンクであり得る。
【００４８】
システムは、水よりも別の液体、特に石鹸に使用できる別のコンテナＳＳを備えることができる。液体の源ＬＳ、ＳＳ、つまりコンテナＬＳおよびＳＳの両方は、液体を液体インレットチャネルＬＩＮに供給できるように液体インレットチャネルＬＩＮに接続されている。
【００４９】
液体の流入に関して、システムＳは、水、石鹸、消毒物、着色液などのための異なる流入／供給部を有する、異なるノズル配置を備え得る。
【００５０】
図６〜図７を参照すると、システムＳはノズル配置ＮＡ１〜ＮＡ３を備える。特に図７を参照すると、一実施形態において、液体分配システムは、前記液体源ＬＳと、前記加圧空気源ＡＳと、また石鹸などの追加の液体の源ＳＳと、消毒液などのさらに別の液体のさらに別の源ＤＳとを含む、洗浄スタンドフレームＦＲとして独立した可動式ユニットである。加えて、圧縮機ＣＯＭＰと、コントローラＭＣと、廃水（液滴、および／または冷却水）回収コンテナＷＬＣとがある。図７では、通信および制御目的のために、ユニットは無線通信デバイスＲＸ‐ＴＸも備える。
【００５１】
液体源ＬＳは、図３〜図５の液体インレットチャネルＬＩＮに流入ラインＣＩＬＬ（図３〜図５）およびＣＩＬＬ６（図６）を介して接続され、加圧空気源ＡＳは、図３〜図５の加圧空気インレットチャネルＡＩＮに空気流入ラインＣＩＬＡ（図３〜図５）およびＣＩＬＡ６（図６）を介して接続されている。
【００５２】
３つの主要なバージョンがある。第１のバージョンでは、液体分配システムＳは、前記廃液コンテナＷＬＣを含む（つまり外部の下水道ネットワーク用のインターフェースがない）が、液体および加圧空気のノズルへの流入は液体および空気用の前記インターフェースを介して配される。
【００５３】
第２のバージョンでは、システムＳは、前記廃液コンテナＷＬＣおよび前記液体源ＬＳを備えるが、加圧空気のノズルへの流入は空気用の前記インターフェースを介して配される。
【００５４】
第３のおよび最も可動性の高いバージョンでは、液体分配システムは、前記液体源ＬＳ、および前記加圧空気源ＡＳ、および前記廃液コンテナＷＬＣを含む、独立した可動式ユニットである。
【００５５】
廃水コンテナの役割に関して、霧の中の水分の大部分は解放空気（周囲空気）に気化されるが、廃液コンテナＷＬＣはその残りを回収することができる。一実施形態において、水の大部分は周囲空気に気化され、この利点は、廃水が形成されず、廃水またはすすぎ水の任意の従来の回収が必要ないということである。このことにより、任意の固定された下水道への接続を必要としない、洗浄スタンドＦＲを製作することが可能となる。廃液コンテナ／回収器ＷＬＣは、図７〜図８の洗浄フレームＦＲの下方部分に位置するように設計される。
【００５６】
システムの動作に関して、システムは、霧の生成を停止するように、かつ空気弁Ｖ２〜Ｖ３のうちいずれか１つが開いている場合は霧を乾燥空気流に置き換えるように、液体インレットチャネルＬＩＮの流れを閉じるための弁Ｖ１などのコントローラ、またはその他のコントローラを備える。
【００５７】
図１１〜図１２を参照すると、コンテナＬＳ、ＡＳ、ＳＳ、リレーＲＥ、コントローラＭＣ、コンピュータＣなどの図６の多くの要素が、図１１〜図１２においても示されている。したがって、図６を参照されたい。
【００５８】
ここで、図１１のシステム図を参照すると、特に弁の役割がここでより詳細に記載されている。ノズル配置ＮＡ１１０は、個別に制御可能な、いくつかの、例えば４つのノズルを備える。本実施形態における供給部は、ノズルに固有のものである。
【００５９】
弁Ｖ１１〜１４は、空気源ＡＳからノズルＮ１０１〜１０４への加圧された流れを制御している。
【００６０】
弁Ｖ２１〜２４は、液体源ＬＳからノズルＮ１０１〜１０４への第１の液体（水）の流れを制御している。
【００６１】
弁Ｖ３２およびＶ３３は、源ＳＳからノズルＮ１０２〜Ｎ１０３への第２の液体（石鹸）の流れを制御している。第２の液体（石鹸）供給部は、ソケットまたはその他の接続点ＳＥ２２およびＳＥ２３を通じて、第１の液体チャネル（水用）およびノズル流入部Ｎ１０２、Ｎ１０３に合流する。
【００６２】
弁の型に関して、液体制御弁Ｖ２１〜２４、Ｖ３２〜３３は、ソレノイド型液体弁、例えばＦｅｓｔｏ社製ＶＯＤＡ‐ＬＤ７７であり得る。加圧空気制御弁Ｖ１１〜１４は、ソレノイド型ガス弁、例えばＦｅｓｔｏ社製ＭＨ２またはＶＵＶＧであり得る。
【００６３】
以下、図１１のシステムの動作原理／順序は、次の通りである。
【００６４】
工程１：全ての弁Ｖ１１〜１４、Ｖ２１〜２４、Ｖ３２〜３３を閉じる。
【００６５】
工程２：弁Ｖ１１〜１４およびＶ２１〜２４を開き、弁Ｖ３２およびＶ３３を閉じる。加圧空気が外側開口部より流出し、ノズルＮ１０１〜Ｎ１０４からの水を引き込んで、（手を湿らせるための）水の霧を形成する。
【００６６】
工程３：弁Ｖ１１〜１４およびＶ２１〜２４を開き、弁Ｖ３２およびＶ３３も開く。第２の液体（石鹸）がＳＥ２２およびＳＥ２３で第１の液体（水）と混合するため、Ｎ１０２およびＮ１０３からの霧は、石鹸を手に噴きつけるための第２の液体（石鹸＋水）を含んでいる。ノズルＮ１０１およびＮ１０４は、水の霧を送達している。
【００６７】
代替工程３Ｂ：弁Ｖ１１およびＶ１４を閉じ、弁Ｖ２１〜Ｖ２４を閉じる。Ｖ１２およびＶ１３を開き、弁Ｖ３２およびＶ３３を開くと、ここで、第２の液体の霧（石鹸＋空気）だけがノズルＮ１０２およびＮ１０３を通じて送達される。
【００６８】
代替工程３Ｃ：弁Ｖ１１およびＶ１４を閉じ、弁Ｖ２１およびＶ２４を閉じる。弁Ｖ１２およびＶ１３を開き、弁Ｖ２２およびＶ２３を開き、弁Ｖ３２およびＶ３３を開く。ここで、第２の液体（石鹸）がソケットＳＥ２２およびＳＥ２３で第１の液体（水）と混合し、ノズルＮ１０２およびＮ１０３を通じて、第１の液体（水）および第２の液体石鹸を含んでいる霧が送達される。
【００６９】
工程４：弁Ｖ１１〜１４およびＶ２１〜２４を開き、弁Ｖ３２およびＶ３３を閉じる。加圧空気が外側開口部より流出し、ノズルＮ１０１〜Ｎ１０４からの水を引き込んで、（前工程で分配された石鹸で手を洗浄するための）水の霧を形成する。
【００７０】
工程５：弁Ｖ２１〜２４およびＶ３２〜Ｖ３３を閉じ、Ｖ１１〜１４を開く。空気が水および石鹸の霧を伴わずにノズルＮ１０１〜１０４の開口部から流出する。これは手を乾燥させるためである。
【００７１】
工程６：全ての弁を閉じる。
【００７２】
ここで図６に戻ると、図１〜図５によって裏づけられるが、図６のシステムＳには、第１の液体（水）、および第２の液体（石鹸）、および加圧空気の供給部がある。機能の説明は、以下の通りである。
【００７３】
第１の液体（水）は、ノズルＮ１１、Ｎ１３、Ｎ１５、Ｎ１６を通じて送達される。ノズルは水タンクなどの液体タンクＬＳと接続している。第１の液体ノズル用の加圧空気流入部ＡＩＮは、空気圧縮機またはその空気タンクＡＳなどの空気源と接続している。第１の液体のノズルへの流入は、水タンクなどの液体源ＬＳに接続している第１の液体管に接続する弁Ｖ１によって制御される。加圧空気の第１の液体用のノズルへの流入は、加圧空気パイプおよび空気タンク／源ＡＳと接続している弁Ｖ２によって制御される。
【００７４】
第２の液体（石鹸）は、ノズルＮ１２、Ｎ１４を通じて送達される。それらの流入部は、石鹸タンクなどの第２の液体タンク（ＳＳ）と接続している。第２の液体ノズル用の加圧空気流入部は、空気圧縮機、またはその空気タンクＡＳなどの空気源と接続している。第２の液体のノズルへの流入は、第２の液体パイプに接続している弁Ｖ４によって制御される。加圧空気の第２の液体用のノズルへの流入は、加圧空気パイプと接続している弁Ｖ３によって制御される。
【００７５】
液体制御弁Ｖ１およびＶ４は、ソレノイド型液体弁、例えばＦｅｓｔｏ社製ＶＯＤＡ−ＬＤ７７であり得る。加圧空気制御弁Ｖ２およびＶ３は、ソレノイド型ガス弁、例えばＦｅｓｔｏ社製ＭＨ２またはＶＵＶＧであり得る。
【００７６】
図６の段階を追っての動作は、以下の通りである。
【００７７】
工程１：全ての弁Ｖ１、Ｖ２、Ｖ３、Ｖ４を閉じる。
【００７８】
工程２：弁Ｖ１およびＶ２を開き、弁Ｖ３およびＶ４を閉じる。加圧空気がノズルの空気出口ＡＩＮＭより流出し、ノズルＮ１１、Ｎ１３、Ｎ１５、Ｎ１６からの水を引き込んで、手を湿らせるための水の霧を形成する。
【００７９】
工程３：弁Ｖ１およびＶ２を閉じ、弁Ｖ３およびＶ４を開く。開口部Ｎ１２およびＮ１４から流出する空気が、手に石鹸を噴きつけるための石鹸の霧を形成する。
【００８０】
工程４：弁Ｖ１およびＶ２を開き、弁Ｖ３およびＶ４を閉じる。加圧空気が外側開口部より流出し、ノズルＮ１１、Ｎ１３、Ｎ１５、Ｎ１６からの水を引き込んで、前工程で分配された石鹸で手を洗浄するための水の霧を形成する。
【００８１】
工程５：弁Ｖ１およびＶ４を閉じ、弁Ｖ２を開く。空気が水および石鹸の霧を伴わずにノズルＮ１１、Ｎ１３、Ｎ１５、Ｎ１６の開口部から流出する（手を乾燥させるため）。弁３を同時に開いて、Ｎ１２およびＮ１４を通る空気流を強めることができる。
【００８２】
工程６：全ての弁Ｖ１〜Ｖ４を閉じる。
【００８３】
一実施形態において、同じ空気流が最初に液体の霧を形成するために使用され、弁Ｖ１で液体の排出を閉じるとき、乾燥目的のために空気が使用される。
【００８４】
一実施形態において、ここで図１２を参照すると、各ノズルは上記で説明したように別々に制御される。ここで、ノズル配置ＮＡ１２０の異なるノズルは、異なる時間で動作している。すなわち、それらのうちのいくつかは、例えば遅れている。例えば工程４（洗浄段階）において、合計洗浄時間が２０秒となるように、ノズルＮ１１１およびＮ１１６が２秒間霧を送達するように配され、続いて、Ｎ１１３およびＮ１１５が次の２秒間霧を送達するように配され、続いて再度Ｎ１１１およびＮ１１６が次の２秒で霧を送達し、続いてＮ１１３およびＮ１１５が次の２秒で送達する。このことにより、手に水を送達するのにパルス効果がもたらされ、洗浄作業が向上することとなる。
【００８５】
工程５において、乾燥段階の間、ノズルは空気を送達することができる。例えば、全乾燥時間が１６秒になるように、最初にＮ１１６を１秒間、続いてＮ１１５を１秒間、続いてＮ１１３を１秒間、Ｎ１１１を１秒間、続いて再度Ｎ１１６を１秒間、Ｎ１１５を１秒などとする。
【００８６】
あるいは、弁Ｖ１１〜１４が全て開いているように、および液体に関連する弁Ｖ２１〜２４およびＶ３２〜３３が閉じている場合、全てのノズルは空気を送達している。
【００８７】
ここで、各ノズルＮ１１６、Ｎ１１５、Ｎ１１３、Ｎ１１１を順番に閉じるが、その他はまだ開いておく。最初に、Ｎ１１１用の空気を制御するＶ１１を１秒間閉じ（その他のＶ１１〜１３は開いている）、続いてＮ１１３用の空気を制御するＶ１２を１秒間閉じ（その他のＶ１１、Ｖ１３〜１４は開いている）、続いてＮ１１５用の空気を制御するＶ１３を１秒間閉じ（その他のＶ１１〜１２、Ｖ１４は開いている）、続いてＮ１１６用の空気を制御するＶ１４を１秒間閉じ（その他のＶ１１〜Ｖ１３は開いている）、続いて再度Ｎ１１１用の空気を制御するＶ１１を１秒間閉じる（その他のＶ１１〜１３は開いている）などとし、その全乾燥時間は１６秒である。
【００８８】
一実施形態において、ノズル配置におけるパネルの光表示器によって、または、霧円錐体ＭＩもしくは霧の空間に向かって有色光を向けることによって、各工程を視覚化することができる。霧は、ユーザが認識できるように、向けられた光を反射および散乱させる。Ｌで記された多色ＬＥＤ（ＲＧＢ）を照明に使用することができる。異なる色を有する、別々の異なるＬＥＤを使用することもできる。ＬＥＤは、ノズルの配置、または図８の洗浄スタンドフレームＦＲに配置することができる。異なる種類の選択された色を使用して、洗浄段階を照明することができる。例えば、工程１（作動の準備ができている）のための緑色、工程２（手を湿らせる）のための黄色、工程３（手を石鹸で洗う）のための緑色、工程４（手を洗浄する）のための青色、および工程５（手を乾燥させる）のための緑色である。光は、光制御ユニットＬＣ（図ではマイクロコントローラＭＣによって制御される）によって制御することができる。したがって、洗浄シーケンスは異なる色で照明される。
【００８９】
図６のセンサＳＥ２、ＳＥ３および図１２のセンサＳＨなどの、センサの動作に関する。いつ手がノズルの近傍に、または洗浄領域／空間に置かれるのかを検出するために、ＳＨのような近接センサを使用することができる。モバイルスマートフォンで使用されるＩＲ反射センサまたは超音波センサなどの、近接センサを使用することができる。センサＳＨが、いつ手が近づくのかを検出して、マイクロコントローラＭＣが、洗浄シーケンスおよび洗浄作業を開始することができる。手が洗浄空間から外れた場合、マイクロコントローラＭＣは洗浄シーケンスを停止することができる。センサコントローラＳＣは、センサＳＨとマイクロコントローラＭＣの間にある。
【００９０】
動作に関して、洗浄シーケンスは、以下のノズルを制御する、同期され連続的に開／閉する弁を使用する：図６におけるインライン構成内にあるＮ１１、Ｎ１３、Ｎ１５、Ｎ１６、または図１２におけるインライン構成内にあるノズルＮ１１１、１１３、１１５、１１６。
【００９１】
図６に関して、洗浄シーケンスは、ノズルＮＡ１、ＮＡ２、ＮＡ３のライン／配置を制御する、同期され連続的に開／閉する弁を使用する。
【００９２】
可動式ユニットとしてのシステムＳに関して、図７〜図８で開示したように、空気のインターフェースコネクタおよび液体のインターフェースコネクタが接続していない場合、フレームＦＲ内に収容されている可動式ユニットを移動させることができる。使用するクイックカプラーは、コネクタ、例えばオハイオ州クリーブランドのＰａｒｋｅｒ  Ｈａｎｎｉｆｉｎ  Ｃｏｒｐ社製Ｐｒｅｍｉｕｍ  Ｐｌｕｓ  Ｓａｆｅｔｙ  Ｃｏｕｐｌｉｎｇ、またはＷａｔｔｓ  Ｗａｔｅｒ  Ｔｅｃｈｎｏｌｏｇｉｅｓ  Ｉｎｃ社製Ｗａｔｔｓ’Ｑｕｉｃｋ‐ｃｏｎｎｅｃｔｏｒとして使用するのが好ましい。
【００９３】
システムＳの統合レベルに応じて、あるいは、空気のインターフェースコネクタが接続していない場合は、可動式ユニットを移動させることができる。クイックカプラーを使用することが好ましい。
【００９４】
技術が進展するにつれて、発明の概念が種々の方法で実施できることは当業者にとって明らかであろう。本発明およびその実施形態は、上で記載されている例に限られるものではないが、特許請求の範囲で変化し得る。
【図１】
2020508216.tif 000003
【図２】
2020508216.tif 000004
【図３】
2020508216.tif 000005
【図４】
2020508216.tif 000006
【図５】
2020508216.tif 000007
【図６】
2020508216.tif 000008
【図７】
2020508216.tif 000009
【図８】
2020508216.tif 000010
【図９】
2020508216.tif 000011
【図１０】
2020508216.tif 000012
【図１１】
2020508216.tif 000013
【図１２】
2020508216.tif 000014
【手続補正書】
【提出日】令和1年10月23日(2019.10.23)
【手続補正１】
【補正対象書類名】特許請求の範囲
【補正対象項目名】全文
【補正方法】変更
【補正の内容】
【特許請求の範囲】
【請求項１】
−液体用の液体インレットチャネル（ＬＩＮ）であって、前記液体インレットチャネルから液体を放出させるための液体出口（ＬＩＮＭ）を有する、液体インレットチャネルと、
−加圧ガスインレットチャネル（ＡＩＮ）であって、前記加圧ガスインレットチャネル（ＡＩＮ）から加圧ガスを放出させるためのガス出口（ＡＩＮＭ）を有する、加圧ガスインレットチャネルと、を備え、
−前記液体インレットチャネル（ＬＩＮ）は非加圧液体インレットチャネル（ＬＩＮ）であり、
−前記液体出口（ＬＩＮＭ）から出る非加圧液体および前記ガス出口（ＡＩＮＭ）から出る加圧ガスから霧を生成するように、前記非加圧液体インレットチャネル（ＬＩＮ）および前記加圧ガスインレットチャネル（ＡＩＮ）は、前記加圧ガスインレットチャネル（ＡＩＮ）が前記非加圧液体インレットチャネル（ＬＩＮ）を少なくとも部分的に取り囲むような方法で配置される、ノズル。
【請求項２】
前記液体インレットチャネル（ＬＩＮ）は前記加圧ガスインレットチャネル（ＡＩＮ）と同軸である、請求項１に記載のノズル。
【請求項３】
前記液体インレットチャネルは、前記液体インレットチャネル（ＬＩＮ）および前記加圧ガスインレットチャネル（ＡＩＭ）の少なくとも前記出口（ＬＩＮＭ、ＡＩＮＭ）において、前記液体インレットチャネルが前記加圧ガスインレットチャネル（ＡＩＮ）と同じ中心点を共有するような方法で配置される、請求項１または２に記載のノズル。
【請求項４】
前記液体インレットチャネル（ＬＩＮ）の前記出口（ＬＩＮＭ）および前記加圧ガスインレットチャネル（ＡＩＮ）の前記出口（ＡＩＮＭ）は、実質的に同一面にあるような方法で延在する、請求項１〜３のいずれか一項に記載のノズル。
【請求項５】
前記液体インレットチャネル（ＬＩＮ）内の流通空間の横断面積は、前記加圧ガスインレットチャネル（ＡＩＮ）内の流通空間の横断面積の７５％未満である、請求項１〜４のいずれか一項に記載のノズル。
【請求項６】
前記液体インレットチャネル（ＬＩＮ）の前記出口（ＬＩＮＭ）における前記液体インレットチャネル（ＬＩＮ）内の流通空間の横断面積は、前記加圧ガスインレットチャネル（ＡＩＮ）の前記出口（ＡＩＮＭ）における前記加圧ガスインレットチャネル（ＡＩＮ）内の流通空間の横断面積の７５％未満である、請求項１〜５のいずれか一項に記載のノズル。
【請求項７】
前記液体インレットチャネル（ＬＩＮ）の壁（ＷＬ）の厚さは０．３０ｍｍ未満である、請求項１〜６のいずれか一項に記載のノズル。
【請求項８】
前記ノズル（Ｎ、Ｎ１〜Ｎ４）は給水栓のノズルである、請求項１〜７のいずれか一項に記載のノズル。
【請求項９】
前記ノズル（Ｎ、Ｎ１〜Ｎ４）は３Ｄプリントされた部品である、請求項１〜８のいずれか一項に記載のノズル。
【請求項１０】
請求項１〜９のいずれか一項に記載のノズルを２つ以上備える、ノズル配置。
【請求項１１】
前記ノズルは、霧を排出する洗浄ラインを形成しているライン構成内にある、請求項１０に記載のノズル配置。
【請求項１２】
前記ノズルは、霧を排出する洗浄空間を形成するために、少なくとも２つのノズルのラインを備える複数のライン構成内にある、請求項１０または１１に記載のノズル配置。
【請求項１３】
前記ノズル配置は、少なくとも３つのノズルのラインを備え、それらのノズルのラインは共通の中央点に向けられ、前記中央点の周囲に洗浄空間を形成する、請求項１０〜１２のいずれか一項に記載のノズル配置。
【請求項１４】
液体源（ＬＳ）および／または液体源に接続するためのインターフェースと、加圧ガス源（ＡＳ）および／または加圧ガス源に接続するためのインターフェースと、を備える液体分配システムであって、
前記液体分配システムは、請求項１〜９のいずれか一項に記載のノズル（Ｎ、Ｎ１〜Ｎ４、Ｎ１１〜Ｎ１６）を１つ以上備え、液体の供給は液体インレットチャネル（ＬＩＮ）に接続し、加圧ガスの供給は加圧ガスインレットチャネル（ＡＩＮ）に接続している、液体分配システム。
【請求項１５】
水滴および／または冷却水を受けるための廃液コンテナ（ＷＬＣ）をさらに備える、請求項１４に記載の液体分配システム。
【請求項１６】
前記液体分配システムは前記廃液コンテナを含み、しかしノズルへの液体および加圧ガスの流入は、液体およびガス用の前記インターフェースを介して配される、請求項１５に記載の液体分配システム。
【請求項１７】
前記液体分配システムは前記廃液コンテナ（ＷＬＳ）および前記液体源（ＬＳ）を含み、しかしノズルへの加圧ガスの流入は、ガス用の前記インターフェースを介して配される、請求項１５に記載の液体分配システム。
【請求項１８】
前記液体分配システムは、前記液体源（ＬＳ）および前記加圧ガス源（ＡＳ）および前記廃液コンテナ（ＷＬＣ）を含む独立した可動式ユニットである、請求項１５に記載の液体分配システム。
【請求項１９】
前記液体分配システムは、霧の生成を停止するようにそして前記霧を乾燥ガス流と置き換えるように、前記液体インレットチャネル（ＬＩＮ）の流れを閉じるための弁などのコントローラ（Ｖ１）またはその他のコントローラをさらに備える、請求項１４〜１８のいずれか一項に記載の液体分配システム。
【国際調査報告】
2020508216.tif 000015
2020508216.tif 000016
2020508216.tif 000017
2020508216.tif 000018